(57)【要約】【課題】木軸を備えた電磁誘導タッチペンにおいて、収容するデジタイザリフィルよりも耐久性の劣る木軸を交換可能とする。【解決手段】電磁誘導タッチペン１０において、デジタイザリフィル６０が、木軸１５の軸心に設けられた収容空間１７に収容されるとともに、前記木軸１５の中途部分に、前記収容空間１７における前記デジタイザリフィル１７の挿入限界を画する挿入規制部４０が設けられ、前記デジタイザリフィル６０の後端が、前記挿入規制部４０と当接する当接部５０として形成されている。【選択図】図６
2020077115.tif 000002
【特許請求の範囲】
【請求項１】
軸心に位置するフェライトコアと、
前記フェライトコアの外周に配設される電磁誘導コイルと、
前記フェライトコアの先端に装着される接触先端と、
前記接触先端に加わる押圧を感知する感圧センサと、
がリフィルとして構成されているデジタイザリフィルが、木軸の軸心に設けられた収容空間に収容されるとともに、
前記木軸の中途部分に、前記収容空間における前記デジタイザリフィルの挿入限界を画する挿入規制部が設けられ、
前記デジタイザリフィルの後端が、前記挿入規制部と当接する当接部として形成されていることを特徴とする電磁誘導タッチペン。
【請求項２】
前記収容空間は、前記木軸の一端から前記中途部分までの有底孔であり、該有底孔の先端側を向いた底面が前記挿入規制部であり、前記挿入規制部における前記底面に嵌合凹部が形成され、
前記デジタイザリフィルの後端に嵌合凸部が形成され、
前記嵌合凸部が前記嵌合凹部に嵌合することで前記デジタイザリフィルが前記木軸と係合することを特徴とする請求項１記載の電磁誘導タッチペン。
【請求項３】
前記収容空間は、前記木軸の一端から前記中途部分までの有底孔であり、該有底孔の先端側を向いた底面が前記挿入規制部であり、前記挿入規制部における前記底面と、前記デジタイザリフィルの後端とに、互いに磁力により吸着し合う磁力吸着部が設けられ、
前記挿入規制部及び前記デジタイザリフィルのそれぞれの磁力吸着部が互いに吸着することで前記デジタイザリフィルが前記木軸と係合することを特徴とする請求項１記載の電磁誘導タッチペン。
【請求項４】
前記収容空間は、前記木軸の一端から前記中途部分までの有底孔であり、該有底孔の先端側を向いた底面が前記挿入規制部であり、前記デジタイザリフィルの後端に、後方へ突出した穿刺部が設けられ、
前記挿入規制部が前記穿刺部で穿刺されることで前記デジタイザリフィルが前記木軸と係合することを特徴とする請求項１記載の電磁誘導タッチペン。
【請求項５】
前記木軸の軸心に貫通孔としての収容空間が形成され、
前記収容空間の後端から前記木軸の中途部分までに達する挿入部材が挿入され、
前記挿入部材の先端が前記挿入規制部となっていることを特徴とする請求項１記載の電磁誘導タッチペン。
【発明の詳細な説明】
【技術分野】
【０００１】
本発明は、電磁誘導タッチペンに関する。
【背景技術】
【０００２】
近年、画面上への物理的な接触により入力を行う、デジタイザ等のポインティングデバイスが広く用いられている。すなわち、ペン型に形成された位置指示器で、位置検出装置が設けられた板状の入力装置の入力面に接触して接触位置を検出するものである。
【０００３】
このようなデジタイザには様々な方式があるが、その中に、電磁誘導方式がある。これは、位置指示器の中に、入力装置の入力面の下に設置されている位置検出装置が発生する特定の周波数の電磁波に対して共振する電磁誘導コイルが設けられていて、この共振が生じた位置を入力位置として認識するものである。
【０００４】
ここで、上述の電磁誘導コイルは磁性体のコアの周りにコイルが巻き回されているものである。
【０００５】
従来の位置指示器のうち、筆記機能のないものでは、樹脂製の芯体が筒状のフェライトコアを貫通し、その先端が入力面に接するとともに、この筒状のフェライトコアの周りにコイルが巻き回されているもの（下記特許文献１）や、棒状のフェライトコアの先端部分をペン先形状の樹脂で被覆し、この先端部分より後方の部分にコアが巻き回されているもの（下記特許文献２）がある。
【先行技術文献】
【特許文献】
【０００６】
【特許文献１】特開２００９−８６９２５号公報
【特許文献２】ＷＯ  ２０１６／０３１３２９  Ａ１
【発明の概要】
【発明が解決しようとする課題】
【０００７】
上記のような電磁誘導方式によるデジタイザを、ボールペンリフィルと互換性のあるリフィル（以下、「デジタイザリフィル」と称する。）として、たとえば鉛筆の木軸様の木製の軸筒に収容したものを電磁誘導タッチペンとした場合、デジタイザリフィルは、ボールペンリフィルにおけるインクのような消費材もなく、またより堅牢で長寿命であるため、一度購入すると基本的に買い換える必要がない。
【０００８】
ところが、デジタイザリフィルが収容される木軸は、プラスチックや金属で形成された場合に比べ、既存の鉛筆の製造ラインを流用可能で安価に製造できるという利点を有する一方、へこみ、ワレ、傷などが生じやすく堅牢性が劣っている。したがって、装着されるデジタイザリフィルよりも木軸の方の劣化が早く、その木軸の劣化によって電磁誘導タッチペンとしての使用に支障を来すことが考えられる。
【０００９】
以上の問題点に鑑み、本発明の実施態様は、木軸を備えた電磁誘導タッチペンにおいて、収容するデジタイザリフィルよりも耐久性の劣る木軸を交換可能とすることを課題とする。
【課題を解決するための手段】
【００１０】
本発明の第１の実施態様に係る電磁誘導タッチペンは、軸心に位置するフェライトコアと、前記フェライトコアの外周に配設される電磁誘導コイルと、前記フェライトコアの先端に装着される接触先端と、前記接触先端に加わる押圧を感知する感圧センサと、がリフィルとして構成されているデジタイザリフィルが、木軸の軸心に設けられた収容空間に収容されるとともに、前記木軸の中途部分に、前記収容空間における前記デジタイザリフィルの挿入限界を画する挿入規制部が設けられ、前記デジタイザリフィルの後端が、前記挿入規制部と当接する当接部として形成されていることを特徴とする。
【００１１】
本発明の第２の実施態様においては、第１の実施態様の特徴に加え、前記収容空間は、前記木軸の一端から前記中途部分までの有底孔であり、該有底孔の先端側を向いた底面が前記挿入規制部であり、前記挿入規制部における前記底面に嵌合凹部が形成され、前記デジタイザリフィルの後端に嵌合凸部が形成され、前記嵌合凸部が前記嵌合凹部に嵌合することで前記デジタイザリフィルが前記木軸と係合する。
【００１２】
本発明の第３の実施態様においては、第１の実施態様の特徴に加え、前記収容空間は、前記木軸の一端から前記中途部分までの有底孔であり、該有底孔の先端側を向いた底面が前記挿入規制部であり、前記挿入規制部における前記底面と、前記デジタイザリフィルの後端とに、互いに磁力により吸着し合う磁力吸着部が設けられ、前記挿入規制部及び前記デジタイザリフィルのそれぞれの磁力吸着部が互いに吸着することで前記デジタイザリフィルが前記木軸と係合する。
【００１３】
本発明の第４の実施態様においては、第１の実施態様の特徴に加え、前記収容空間は、前記木軸の一端から前記中途部分までの有底孔であり、該有底孔の先端側を向いた底面が前記挿入規制部であり、前記デジタイザリフィルの後端に、後方へ突出した穿刺部が設けられ、前記挿入規制部が前記穿刺部で穿刺されることで前記デジタイザリフィルが前記木軸と係合する。
【００１４】
本発明の第５の実施態様においては、第１の実施態様の特徴に加え、前記木軸の軸心に貫通孔としての収容空間が形成され、前記収容空間の後端から前記木軸の中途部分までに達する挿入部材が挿入され、前記挿入部材の先端が前記挿入規制部となっている。
【００１５】
また、前記挿入部材は、筆記機能を有する筆記部材であることが好ましい。
【００１６】
また、前記挿入部材は、前記デジタイザリフィルとは別の入力タッチペンユニットであることが好ましい。
【００１７】
また、前記デジタイザリフィルの外周面と、前記収容空間の内周面との間には、該デジタイザリフィルが抜き差し可能であるとともに、該デジタイザリフィルが前記木軸に挿入されている状態で自然落下しない程度の摩擦力が作用することが好ましい。
【発明の効果】
【００１８】
本発明の実施態様は、上記のように構成されているので、木軸を備えた電磁誘導タッチペンにおいて、収容するデジタイザリフィルよりも耐久性の劣る木軸を交換可能とすることができる。
【図面の簡単な説明】
【００１９】
【図１】本発明の各実施形態の電磁誘導タッチペンで使用されるデジタイザリフィルを正面図（Ａ）、側面図（Ｂ）及び側面断面図（Ｃ）で示す。
【図２】図１のデジタイザリフィルにおける電磁誘導コイルの回路図である。
【図３】図１のデジタイザフィリルを収容した電磁誘導タッチペンの使用状態を模式的に示す斜視図である。
【図４】第１の実施形態で用いられる木軸を正面図（Ａ）、平面図（Ｂ）及び（Ｂ）におけるＩＶ−ＩＶ断面図（Ｃ）にて示す。
【図５】図４の木軸を組図にて示す。
【図６】第１の実施形態の第１例を部分側面断面図にて示す。
【図７】第１の実施形態の第２例を部分側面断面図にて示す。
【図８】第１の実施形態の第３例を部分側面断面図にて示す。
【図９】第１の実施形態の第４例を部分側面断面図にて示す。
【図１０】第１の実施形態の第５例を部分側面断面図にて示す。
【図１１】第２の実施形態で用いられる木軸を正面図（Ａ）、平面図（Ｂ）、底面図（Ｃ）並びに（Ｂ）及び（Ｃ）におけるＸＩ−ＸＩ断面図（Ｄ）にて示す。
【図１２】図１１の木軸を組図にて示す。
【図１３】第２の実施形態の第１例を部分側面断面図にて示す。
【図１４】第２の実施形態の第２例を部分側面断面図にて示す。
【図１５】第２の実施形態の第３例を部分側面断面図にて示す。
【図１６】第２の実施形態の第４例を部分側面断面図にて示す。
【図１７】第２の実施形態の第５例を部分側面断面図にて示す。
【図１８】第２の実施形態の第６例を部分側面断面図にて示す。
【図１９】第１又は第２の実施形態の木軸において、断面六角形の例（Ａ）、断面三角形の例（Ｂ）及び断面円形の例（Ｃ）をそれぞれ平面図にて模式的に示す。
【発明を実施するための形態】
【００２０】
以下、本発明の実施形態を、図面を参照しつつ説明する。なお、以下の説明においては、電磁誘導タッチペン１０において、デジタイザリフィル６０の接触先端６２（図１（Ａ）〜（Ｃ）参照）が位置する側を先端とし、その反対側を後端として記述している。
【００２１】
＜デジタイザリフィル＞
以下に示す各実施形態において木軸１５に収容されるデジタイザリフィル６０は、図１（Ａ）の正面図及び図１（Ｂ）の側面図に示すような外観を呈したリフィルとして構成され、また、図１（Ｃ）の側面断面図に示すような内部構造を有する。
【００２２】
デジタイザリフィル６０は、図１（Ａ）〜図１（Ｃ）に示すように、金属製の収納筒６３の先端に、軸心に位置する棒状のフェライトコア６４（図１（Ｃ）参照）を内蔵した合成樹脂製の先端継手６１が装着され、その先端に合成樹脂製の接触先端６２が装着されている。また、フェライトコア６４の外周には、先端継手６１を挟んで電磁誘導コイル６５が巻き回された状態で配設されている。収納筒６３の中には、電磁誘導コイル６５と電気的に接続された感圧センサ６６とコンデンサ６７とが収納されている（図１（Ｃ）参照）。また、収納筒６３の後端は、後述する挿入規制部４０と当接する当接部５０となっている。さらに、収納筒６３を先端方向に付勢するリターンスプリング６９も装着されている。このリターンスプリング６９は、先端継手６１の押圧により収納筒６３が後方へ移動する際に圧縮される。そして、接触先端６２が押圧されると、デジタイザリフィル６０のフェライトコア６４も後方へ押圧される。これにより、感圧センサ６６が接触した状態となる。すなわち、感圧センサ６６は接触先端６２に加わる押圧を感知する。
【００２３】
電磁誘導コイル６５、コンデンサ６７及び感圧センサ６６は図示しない配線によって図２に示すような回路を形成している。ここで、感圧センサ６６が接触すると、図２の回路が閉状態となる。
【００２４】
図３は、各実施形態の電磁誘導タッチペン１０の使用状態を示すものである。電磁誘導タッチペン１０は、後述する木軸１５にデジタイザリフィル６０が収容されたものであり、木軸１５の先端から接触先端６２が突出している。
【００２５】
入力装置７０の入力面７１の下面には、特定の周波数の電磁波を発生する図示しない位置検出装置が設けられている。そして、入力面７１の上を電磁誘導タッチペン１０の接触先端６２で描線７２のようになぞると、接触先端６２が押圧される。これにより、図２に示す回路が閉状態となると、電磁誘導により、回路に電流が流れることになる。この電磁誘導が生じた位置を、入力装置７０は座標情報として認識することで、描線７２が電子データとしても記録されることとなる。
【００２６】
なお、接触先端６２への押圧が解除されると、リターンスプリング６９の復元力によりフェライトコア６４も前方へ復帰して感圧センサ６６の接触も解除され、図２の回路は開状態となる。
【００２７】
＜第１の実施形態＞
第１の実施形態で用いられる木軸１５の構造を、図４（Ａ）、図４（Ｂ）及び図４（Ｃ）並びに図５を参照しつつ説明する。木軸１５は、図４（Ｂ）の平面図に示すように断面六角形の柱状構造を呈しており、長手方向に沿って二分割された木軸部材１６が、図５の組図に示すように貼り合わされて形成されている。木軸１５の内部には、各木軸部材１６に穿設された断面半円形の溝が重ね合わされたことによる断面円形の貫通孔が形成されており、これが木軸１５の軸心においてデジタイザリフィル６０を収容する収容空間１７となっている。木軸１５は、通常の鉛筆の木軸と同様のサイズとして形成される。
【００２８】
ここで、木軸１５の材質として用いられる種類としては、たとえば、気乾比重１未満とした木材であり、檜、檜葉、桐、チーク、マホガニー、杉、松、桜、竹、アオダモ、ホワイトアッシュ、ホワイトファー、ハードメープル、インセンスシダー、リンデン、バルサなどが挙げられる。また、無垢の木材だけではなく、間伐材、廃材チップや木粉等を集めて固めた圧縮加工材料のような木質材を使用することも可能である。また、その際の含水率は２０％未満である。なお、含水率は、電気式水分計ＭＲ−２００II（サンコウ電子研究所）を用いて測定することができる。
【００２９】
ここで、木軸１５を使用する意義は以下の通りである。
【００３０】
合成ゴム又は合成樹脂のような無機質の素材より、天然の木材のような有機質の素材の方が環境に優しいものであり、自然の素材で作成され、また、コンピュータを操作する人にとっても木の香りによる安らぎを与えることができる。また、木材を用いることによって靭性が高く衝撃にも強いために木軸１５が割れにくく、また、落下時等の音を吸収するという別の効果もある。さらに、塗装すると、木材の道管の色が濃く染まって木目が浮き出し美しく仕上がるという利点もある。
【００３１】
また、木材は、水分を吸収するので、指に汗をかいた場合であっても、指先の汗を吸収し、指が汗で滑ったりすることがない。さらに利用者の手が直接木軸１５の木肌に触れるので木の温もりが伝わり作業効率の向上が期待される。
【００３２】
そして、木材は、使い込めば、使い込む程に特有の渋みが生れ、独特の風雅な感じを与えることができる。一方、木軸１５に傷が付いた場合でも、削り出せば、容易に修復することができ、経済的でもある。
【００３３】
ゆえに日常を無機質で無味乾燥な電子部材に囲まれている作業環境のなかで、木軸１５が有する特有の手触り感と暖かさにはストレス解消と癒しの心理効果が期待される。また、それぞれに異なる木目模様の個性的なゆらぎや質感等の固体別特徴により、長期の使用頻度に比例して専用意識が芽生え、日常の手入れを楽しめる等の精神的なリラックス効果も望める。
【００３４】
さらに、学校教育現場のような、デジタル機器と非デジタルなアナログ製品とが混在しやすい環境下では、筆記具として用いられる鉛筆等と近似した材料を用いることで、違和感なく使用することができる。
【００３５】
木軸１５の収容空間１７には、後端から各種の挿入部材２０が挿入される。そのいくつかの例を以下に示す。
【００３６】
図６は、第１の実施形態に係る電磁誘導タッチペン１０の第１例を部分断面側面図にて示すものである。木軸１５の収容空間１７には、挿入部材２０としての尾栓２４が後端から挿入されている。尾栓２４は、収容空間１７に挿入される円柱状の挿入部２４Ａと、その挿入部２４Ａの後端に一体に形成され、木軸１５の後端縁と当接して係止する係止部２４Ｂとで構成されている。挿入部２４Ａの先端は、木軸１５の中途部分までに達し、その先端縁が挿入規制部４０となっている。一方、収容空間１７の先端からは、デジタイザリフィル６０が挿入される。なお、本図を含め以降で言及される各図においては、デジタイザリフィル６０については図１（Ａ）〜（Ｃ）で詳述された各部の構造を簡略化して示している。
【００３７】
デジタイザリフィル６０の後端に設けられている当接部５０は、挿入部２４Ａの先端縁の挿入規制部４０と当接する。すなわち、挿入規制部４０はデジタイザリフィル６０の挿入限界を画している。なお、木軸１５の先端は、先細に切削されたテーパー部１５Ａとなっており、電磁誘導タッチペン１０として使用する際にデジタイザリフィル６０の先端が視認しやすくなっている。
【００３８】
本例では、木軸１５の長さを精密に加工しなくても、尾栓２４の挿入部２４Ａの先端を適宜切断して短くすることで、デジタイザリフィル６０の後端の、木軸１５の内部での位置決めが可能となる。
【００３９】
この図６に示す状態で、デジタイザリフィル６０の外周面と、収容空間１７の内周面との間には、デジタイザリフィル６０が抜き差し可能であるとともに、デジタイザリフィル６０が木軸１５に挿入されている状態で下向きにしても自然落下しない程度の摩擦力が作用している。これは、デジタイザリフィル６０と収容空間１７とのそれぞれの径を調整することで実現することができる。あるいは、デジタイザリフィル６０の外周面と収容空間１７の内周面とのそれぞれの表面粗さを調整することで実現することとしてもよい。
【００４０】
図７は、第１の実施形態に係る電磁誘導タッチペン１０の第２例を部分断面側面図にて示すものである。木軸１５の収容空間１７の後半部分には、挿入部材２０として、筆記機能を有する筆記部材である鉛筆芯２１が収容される。鉛筆芯２１の先端は、木軸１５の中途部分までに達し、その先端縁が挿入規制部４０となっている。一方、収容空間１７の先端からは、デジタイザリフィル６０が挿入される。デジタイザリフィル６０の後端に設けられている当接部５０は、鉛筆芯２１の先端縁の挿入規制部４０と当接する。すなわち、挿入規制部４０はデジタイザリフィル６０の挿入限界を画している。
【００４１】
なお、木軸１５の先端は、先細に切削されたテーパー部１５Ａとなっており、電磁誘導タッチペン１０として使用する際にデジタイザリフィル６０の先端が視認しやすくなっている。また、木軸１５の後端も、普通の鉛筆と同様にシャープナーで切削することができ、電磁誘導タッチペン１０の後端は鉛筆として使用することができる。
【００４２】
図８は、第１の実施形態に係る電磁誘導タッチペン１０の第３例を部分断面側面図にて示すものである。本例は前記した第２例と同様に、木軸１５の収容空間１７の後半部分には、挿入部材２０としての鉛筆芯２１が収容されるが、鉛筆芯２１の先端とデジタイザリフィル６０の後端との間に、スペーサとしての調整部材３０が介在している。調整部材３０は、木材、プラスチックなど、適宜の材質で形成することができる。この調整部材３０により、デジタイザリフィル６０の後端の、木軸１５の内部での位置決めが可能となる。
【００４３】
図９は、第１の実施形態に係る電磁誘導タッチペン１０の第４例を部分断面側面図にて示すものである。木軸１５の収容空間１７の後半部分には、挿入部材２０として、筆記機能を有する筆記部材であるボールペンリフィル２２が収容される。ボールペンリフィル２２の先端（筆記先端の位置する方とは反対であることに留意されたい）は、木軸１５の中途部分までに達し、その先端縁が挿入規制部４０となっている。一方、収容空間１７の先端からは、デジタイザリフィル６０が挿入される。デジタイザリフィル６０の後端に設けられている当接部５０は、ボールペンリフィル２２の先端縁の挿入規制部４０と当接する。すなわち、挿入規制部４０はデジタイザリフィル６０の挿入限界を画している。
【００４４】
なお、木軸１５の先端は、先細に切削されたテーパー部１５Ａとなっており、電磁誘導タッチペン１０として使用する際にデジタイザリフィル６０の先端が視認しやすくなっている。また、木軸１５の後端も、同様にテーパー部１５Ａとして切削されているため、電磁誘導タッチペン１０の後端をボールペンとして使用する際にやはり筆記先端が視認しやすくなっている。なお、本例においても、前記第３例のように、ボールペンリフィル２２の先端とデジタイザリフィル６０の後端との間に、スペーサとしての調整部材３０を介在させることで、デジタイザリフィル６０の後端の、木軸１５の内部での位置決めを行うことができる。
【００４５】
図１０は、第１の実施形態に係る電磁誘導タッチペン１０の第５例を部分断面側面図にて示すものである。木軸１５の収容空間１７の後半部分には、挿入部材２０としての入力ペンユニット２３が収容される。入力ペンユニット２３は、デジタイザリフィル６０とは別種の入力態様（たとえば、感圧式や、静電容量式など）が可能なものが望ましいが、デジタイザリフィル６０と同じ電磁誘導方式のものであってもよい。入力ペンユニット２３の先端（入力先端の位置する方とは反対であることに留意されたい）は、木軸１５の中途部分までに達し、その先端縁が挿入規制部４０となっている。一方、収容空間１７の先端からは、デジタイザリフィル６０が挿入される。デジタイザリフィル６０の後端に設けられている当接部５０は、入力ペンユニット２３の先端縁の挿入規制部４０と当接する。すなわち、挿入規制部４０はデジタイザリフィル６０の挿入限界を画している。
【００４６】
なお、木軸１５の先端は、先細に切削されたテーパー部１５Ａとなっており、電磁誘導タッチペン１０として使用する際にデジタイザリフィル６０の先端が視認しやすくなっている。また、木軸１５の後端も、同様にテーパー部１５Ａとして切削されているため、電磁誘導タッチペン１０の後端を別の入力ペンとして使用する際にやはり入力先端が視認しやすくなっている。なお、本例においても、前記第３例のように、入力ペンユニット２３の先端とデジタイザリフィル６０の後端との間に、スペーサとしての調整部材３０を介在させることで、デジタイザリフィル６０の後端の、木軸１５の内部での位置決めを行うことができる。
【００４７】
＜第２の実施形態＞
第２の実施形態で用いられる木軸１５の構造を、図１１（Ａ）、図１１（Ｂ）、図１１（Ｃ）及び図１１（Ｄ）並びに図１２を参照しつつ説明する。木軸１５は、図１１（Ｂ）の平面図及び図１１（Ｃ）の底面図に示すように断面六角形の柱状構造を呈しており、長手方向に沿って二分割された木軸部材１６が、図１２の組図に示すように貼り合わされて形成されている。木軸１５の内部には、各木軸部材１６の前半部分に穿設された断面半円形の溝が重ね合わされたことによる断面円形の空間が前半部分に形成されており、これが木軸１５の軸心においてデジタイザリフィル６０を収容する収容空間１７となっている。一方、木軸１５の後半部分は中実であり、収容空間１７は木軸１５の一端（すなわち、先端）から中途部分までの有底孔として形成されている。そしてその有底孔の底面１８は先端側を向いており、これがデジタイザリフィル６０の挿入限界を画する挿入規制部４０として機能することになる。木軸１５は、通常の鉛筆の木軸と同様のサイズとして形成される。
【００４８】
木軸１５の材質及び木軸１５を使用する意義については、前記第１の実施の形態と同様である。
【００４９】
図１３は、第２の実施形態に係る電磁誘導タッチペン１０の第１例を部分断面側面図にて示すものである。木軸１５の収容空間１７の底面１８は、前記した挿入規制部４０となり、収容空間１７の先端から挿入されたデジタイザリフィル６０の後端の当接部５０と当接する。すなわち、挿入規制部４０はデジタイザリフィル６０の挿入限界を画している。なお、木軸１５の先端は、先細に切削されたテーパー部１５Ａとなっており、電磁誘導タッチペン１０として使用する際にデジタイザリフィル６０の先端が視認しやすくなっている。
【００５０】
この図１３に示す状態で、デジタイザリフィル６０の外周面と、収容空間１７の内周面との間には、デジタイザリフィル６０が抜き差し可能であるとともに、デジタイザリフィル６０が木軸１５に挿入されている状態で下向きにしても自然落下しない程度の摩擦力が作用している。この摩擦力により、デジタイザリフィル６０は木軸１５と係合している。これは、デジタイザリフィル６０と収容空間１７とのそれぞれの径を調整することで実現することができる。あるいは、デジタイザリフィル６０の外周面と収容空間１７の内周面とのそれぞれの表面粗さを調整することで実現することとしてもよい。
【００５１】
図１４は、第２の実施形態に係る電磁誘導タッチペン１０の第２例を部分断面側面図にて示すものである。木軸１５の収容空間１７の底面１８には、挿入規制部４０としての嵌合凹部４１が固定されている。一方、デジタイザリフィル６０の後端には、当接部５０として、この嵌合凹部４１と嵌合し得る形状の突起である嵌合凸部５１が形成されている。収容空間１７の先端からデジタイザリフィル６０が挿入されると、嵌合凸部５１が嵌合凹部４１に嵌合して、この嵌合によりデジタイザリフィル６０は木軸１５と係合し、電磁誘導タッチペン１０としての使用が可能となる。
【００５２】
この状態から、デジタイザリフィル６０の先端をつまんで先端方向へ引っ張れば、嵌合凸部５１と嵌合凹部４１との間の嵌合が解けて離間し、デジタイザリフィル６０を木軸１５から取り外すことができる。なお、木軸１５の先端は、先細に切削されたテーパー部１５Ａとなっており、電磁誘導タッチペン１０として使用する際にデジタイザリフィル６０の先端が視認しやすくなっている。
【００５３】
図１５は、第２の実施形態に係る電磁誘導タッチペン１０の第３例を部分断面側面図にて示すものである。木軸１５の収容空間１７の底面１８には、挿入規制部４０として、磁石の一方の極（たとえば、Ｓ極）を先端方向に向けた磁力吸着部４２が固定されている。一方、デジタイザリフィル６０の後端には、当接部５０として、この磁力吸着部４２とは反対の極（たとえば、Ｎ極）を後端方向に向けた磁力吸着部５２が固定されている。収容空間１７の先端からデジタイザリフィル６０が挿入されると、双方の磁力吸着部４２、５２同士が互いに磁力により吸着し合い、この吸着によりデジタイザリフィル６０は木軸１５と係合し、電磁誘導タッチペン１０としての使用が可能となる。
【００５４】
この状態から、デジタイザリフィル６０の先端をつまんで先端方向へ引っ張れば、磁力吸着部４２、５２同士の吸着が解けて離間し、デジタイザリフィル６０を木軸１５から取り外すことができる。なお、木軸１５の先端は、先細に切削されたテーパー部１５Ａとなっており、電磁誘導タッチペン１０として使用する際にデジタイザリフィル６０の先端が視認しやすくなっている。
【００５５】
図１６は、第２の実施形態に係る電磁誘導タッチペン１０の第４例を部分断面側面図にて示すものである。デジタイザリフィル６０の後端には、当接部５０として、画鋲の針のような穿刺部５３が固定されている。収容空間１７の先端からデジタイザリフィル６０が挿入されると、木軸１５の収容空間１７における、挿入規制部４０としての底面１８にこの穿刺部５３が穿刺され、この穿刺によりデジタイザリフィル６０は木軸１５と係合し、電磁誘導タッチペン１０としての使用が可能となる。なお、木軸１５の先端は、先細に切削されたテーパー部１５Ａとなっており、電磁誘導タッチペン１０として使用する際にデジタイザリフィル６０の先端が視認しやすくなっている。
【００５６】
図１７は、第２の実施形態に係る電磁誘導タッチペン１０の第５例を部分断面側面図にて示すものである。本例では、前記第２例において、木軸１５の先端側の部分の外周に、木材よりも軟質な素材、たとえばラバーなどで形成されたグリップ部１１が設けられている。このグリップ部１１を設けた部分の外径は、通常のシャープナーには挿入できない程度の長さとなっている。これによって、デジタイザリフィル６０が設けられている先端側を誤ってシャープナーで切削するようなことが防止できる。なお、このようなグリップ部１１は、本実施形態において前記第２例に限らず、他の例でも設けることができ、また、前記第１の実施形態の各例においても設けることができる。
【００５７】
図１８は、第２の実施形態に係る電磁誘導タッチペン１０の第６例を部分断面側面図にて示すものである。本例では、前記第２例において、木軸１５の後端に装飾部１２が装着されている。この装飾部１２は、動物や漫画のキャラクタなどの形状に成形したり、名前を記入したり、あるいは各種イラスト又は広告や社名などを印刷したりするのに利用することができる。なお、このような装飾部１２は、本実施形態において前記第２例に限らず、他の例でも設けることができる。
【００５８】
＜その他＞
上記した第１又は第２の実施形態では、図１９（Ａ）の模式的な平面図に示すように、木軸１５の断面は六角形に形成されているため、既存の鉛筆の製造ラインを流用して製造することができる。しかし、木軸１５はこのような六角形の断面に限られず、鉛筆の断面形状として採用されることのある正三角形（図１９（Ｂ））若しくは円形（図１９（Ｃ））の断面形状を有するものとして形成することができ、その他の任意の形状とすることもできる。
【産業上の利用可能性】
【００５９】
本発明は、電磁誘導タッチペンとして利用可能である。
【符号の説明】
【００６０】
１０  電磁誘導タッチペン  １１  グリップ部          １２  装飾部
１５  木軸                １５Ａ  テーパー部        １６  木軸部材
１７  収容空間            １８  底面
２０  挿入部材            ２１  鉛筆芯              ２２  ボールペンリフィル
２３  入力ペンユニット    ２４  尾栓                ２４Ａ  挿入部
２４Ｂ  係止部
３０  調整部材
４０  挿入規制部          ４１  嵌合凹部            ４２  磁力吸着部
５０  当接部              ５１  嵌合凸部            ５２  磁力吸着部
５３  穿刺部
６０  デジタイザリフィル  ６１  先端継手            ６２  接触先端
６３  収納筒              ６４  フェライトコア      ６５  電磁誘導コイル
６６  感圧センサ          ６７  コンデンサ
６９  リターンスプリング
７０  入力装置            ７１  入力面              ７２  描線
【図１】
2020077115.tif 000003
【図２】
2020077115.tif 000004
【図３】
2020077115.tif 000005
【図４】
2020077115.tif 000006
【図５】
2020077115.tif 000007
【図６】
2020077115.tif 000008
【図７】
2020077115.tif 000009
【図８】
2020077115.tif 000010
【図９】
2020077115.tif 000011
【図１０】
2020077115.tif 000012
【図１１】
2020077115.tif 000013
【図１２】
2020077115.tif 000014
【図１３】
2020077115.tif 000015
【図１４】
2020077115.tif 000016
【図１５】
2020077115.tif 000017
【図１６】
2020077115.tif 000018
【図１７】
2020077115.tif 000019
【図１８】
2020077115.tif 000020
【図１９】
2020077115.tif 000021